(57)【要約】【課題】カード状の電子モジュールを容易に取り出すことができるカードコネクタ、カードコネクタを備えた配線板ユニット、およびカードコネクタを備えた電子機器を提供する。【解決手段】カードコネクタは、電子モジュールを載置し筐体から引き出し自在に可動するトレイを有する。前記トレイには、トレイの引き出しを誘導する誘導用突起と、トレイの最大引き出し位置を規定するストッパ用突起と、が設けられ、前記筐体には、前記誘導用突起を誘導する引き出し誘導路が設けられる。前記筐体の底面に直交する高さ方向の位置に関して、前記トレイが引き出されて前記最大引き出し位置に近づくとき、前記誘導用突起の前記高さ方向の位置を変化させる誘導用傾斜路を前記引き出し誘導路は含む。前記誘導用突起が前記誘導用傾斜路に位置するとき、前記ストッパ用突起の前記高さ方向の位置を一定に保つストッパ用突起の位置規制誘導路が前記筐体に設けられる。【選択図】  図２
2012069475.tif 000002
【特許請求の範囲】
【請求項１】
カード状の電子モジュールを電子部品と接続するカードコネクタであって、
配線板と接する底面を有し、カード状の電子モジュールを収納することにより、電子部品と接続した接続端子を介して電子モジュールを電子部品と接続させる筐体と、
電子モジュールを載置した状態で、前記筐体に対して引き出し自在に可動するトレイと、を有し、
前記筐体と対向する前記トレイの面には、前記トレイの引き出し経路を定める誘導用突起と、前記トレイの最大引き出し位置を定めるストッパ用突起と、が設けられ、
前記筐体の前記トレイと対向する面には、前記トレイの引き出し方向に延在し、前記誘導用突起を誘導する引き出し誘導路が設けられ、
前記筐体の底面に直交する高さ方向の位置に関して、前記トレイが引き出されて前記最大引き出し位置に近づくとき、前記誘導用突起の前記高さ方向の位置を前記底面から離れるように変化させる誘導用傾斜路を前記引き出し誘導路は含み、かつ、前記誘導用突起が前記誘導用傾斜路を移動するとき、前記ストッパ用突起の前記高さ方向の位置を一定に保つ前記ストッパ用突起の位置規制誘導路が、前記筐体に設けられている、ことを特徴とするカードコネクタ。
【請求項２】
前記筐体に設けられる前記位置規制誘導路は、前記引き出し誘導路の前記延在方向に延び、前記ストッパ用突起の前記高さ方向の位置を規制するように前記高さ方向の幅を有する、一端が開口し他端が閉塞した誘導溝であり、前記誘導用突起が前記誘導用傾斜路を通過するとき、前記ストッパ用突起は前記誘導溝に位置する、請求項１に記載のカードコネクタ。
【請求項３】
前記引き出し誘導路は、前記誘導用突起が摺動する面を有する誘導棚であり、
前記誘導用突起と前記ストッパ用突起は、前記高さ方向の同じ位置に設けられ、
前記ストッパ用突起は、前記誘導用突起に比べて前記トレイの収納奥側に設けられ、
前記誘導用突起の突出高さは、前記誘導用突起が前記誘導溝の閉塞端によって移動が妨げられない程度に前記ストッパ用突起の突出高さに比べて低い、請求項２に記載のカードコネクタ。
【請求項４】
前記位置規制誘導路は、前記ストッパ用突起の移動を規制する終端を有し、
前記位置規制誘導路には、前記トレイが前記最大引き出し位置にあるとき前記ストッパ用突起を押圧する押さえ部材が設けられ、前記トレイの前記最大引き出し位置において、前記ストッパ用突起は、前記位置規制誘導路の終端と前記押さえ部材の押圧とによって位置が固定される、請求項１〜３のいずれか１項に記載のカードコネクタ。
【請求項５】
前記押さえ部材は、前記引き出し誘導路に向かって「く」の字形状に突出した平板ばねであり、前記平板ばねの前記「く」の字形状の突出部は、前記ストッパ用突起が前記突出部を通過するとき前記ストッパ用突起と接触することにより前記ストッパ用突起を押圧する、請求項４に記載のカードコネクタ。
【請求項６】
カード状の電子モジュールと電子部品を接続するカードコネクタを配線板に備えた配線板ユニットであって、
前記カードコネクタは、
配線板と接する底面を有し、カード状の電子モジュールを収納することにより、電子部品と接続した接続端子を介して電子モジュールを電子部品と接続させる筐体と、
電子モジュールを載置した状態で、前記筐体に対して引き出し自在に可動するトレイと、を有し、
前記筐体と対向する前記トレイの面には、前記トレイの引き出し経路を定める誘導用突起と、前記トレイの最大引き出し位置を定めるストッパ用突起と、が設けられ、
前記トレイと対向する前記筐体の面には、前記トレイの引き出し方向に延在し、前記誘導用突起を誘導する引き出し誘導路が設けられ、
前記筐体の底面に直交する高さ方向の位置に関して、前記トレイが引き出されて前記最大引き出し位置に近づくとき、前記誘導用突起の前記高さ方向の位置を前記配線板から離れるように変化させる誘導用傾斜路を前記引き出し誘導路は含み、かつ、前記誘導用突起が前記誘導用傾斜路を移動するとき、前記ストッパ用突起の前記高さ方向の位置を一定に保つ前記ストッパ用突起の位置規制誘導路が、前記筐体に設けられている、ことを特徴とする配線板ユニット。
【請求項７】
カード状の電子モジュールと電子部品を接続するカードコネクタを配線板に備えた電子機器であって、
前記カードコネクタは、
配線板と接する底面を有し、カード状の電子モジュールを収納することにより、電子部品と接続した接続端子を介して電子モジュールを電子部品と接続させる筐体と、
電子モジュールを載置した状態で、前記筐体に対して引き出し自在に可動するトレイと、を有し、
前記筐体と対向する前記トレイの面には、前記トレイの引き出し経路を定める誘導用突起と、前記トレイの最大引き出し位置を定めるストッパ用突起と、が設けられ、
前記トレイと対向する前記筐体の面には、前記トレイの引き出し方向に延在し、前記誘導用突起を誘導する引き出し誘導路が設けられ、
前記筐体の底面に直交する高さ方向の位置に関して、前記トレイが引き出されて前記最大引き出し位置に近づくとき、前記誘導用突起の前記高さ方向の位置を前記配線板から離れるように変化させる誘導用傾斜路を前記引き出し誘導路は含み、かつ、前記誘導用突起が前記誘導用傾斜路を移動するとき、前記ストッパ用突起の前記高さ方向の位置を一定に保つ前記ストッパ用突起の位置規制誘導路が、前記筐体に設けられている、ことを特徴とする電子機器。
【発明の詳細な説明】
【技術分野】
【０００１】
本発明は、カード状の電子モジュールを電子部品と接続するカードコネクタ、カードコネクタを備えた配線板ユニット、およびカードコネクタを備えた電子機器に関する。
【背景技術】
【０００２】
従来より、携帯電話機器等のモバイル電子機器には、ＳＩＭカード(Subscriber Identity Module Card)が用いられている。ＳＩＭカードには、電話番号を特定するための固有の識別番号が含まれており、電話番号と結びつけることにより通信を可能としている。今日、携帯電話機器等の電子機器において、ユーザの携帯電話機器の使用変更に応じて、ＳＩＭカードを取り替える場合が多い。
このようなＳＩＭカードは、図４に示すような引き出しトレイが設けられたカードコネクタ１００が用いられる場合がある。図５は、携帯電話機器から取り出した配線板に設けられたカードコネクタ１００を示している。図６は、カードコネクタ１００の分解斜視図である。
【０００３】
カードコネクタ１００は、図６に示すように、主に、筐体１０２と、トレイ１０４と、を有する。筐体１０２には、電子部品と接続した接続端子が設けられ、ＳＩＭカード１０３を収納して、ＳＩＭカード１０３を電子部品と接続させる。トレイ１０４は、ＳＩＭカード１０３を載置した状態で筐体に対して引き出し自在に可動する。
【０００４】
図７（ａ）〜（ｃ）は、カードコネクタ１００に収納されたＳＩＭカード１０３の取り替えを説明する模式図である。
まず、図７（ａ）に示すように配線板１０６にカードコネクタ１００は設けられている。カードコネクタ１００のトレイ１０４の手前に設けられたトレイ爪部１０８をユーザが指や爪で引っ掛けて、図７（ｂ）に示すようにトレイ１０４を引き出す。トレイ１０４が完全に引き出された状態でトレイ１０４上のＳＩＭカード１０３は取り出される。トレイ１０４には、ＳＩＭカード１０３を取り出しやすいように、トレイ１０４の一部分に切り欠き部１１０が設けられている。しかし、引き出されたトレイ１０４と配線板１０６との隙間は非常に狭いため、ＳＩＭカード１０３の下面を指で支えつつ、ＳＩＭカード１０３をトレイ１０４から取り出すことは難しい。ＳＩＭカード１０３が取り出し難いため、トレイ１０４を過度に引き出し、あるいはトレイ１０４を筐体１０２から引き抜き、トレイ１０４や筐体１０２に損傷を与える場合もある。
【０００５】
従来より、電子機器において、カード等の収納体をトレイから引き出すために、トレイを引き出したとき、トレイの引き出した側の位置がトレイの奥側の位置に比べて高くなるようにトレイを傾斜させる方式が種々知られている。
例えば、少なくともカートリッジに収納された収納ディスクに記録された情報の再生あるいはこの収納ディスクへの情報の記録の少なくともいずれか一方を行うディスク装置に関する下記機構が知られている。
すなわち、トレイがディスク載置位置に移動した際に、リフトレバー移動手段により、リフトレバーがリフト位置に移動する。従って、この状態で、カートリッジをカートリッジ載置面に載置すると、このカートリッジは、その搬入方向側端部を基点として、その搬出方向側端部がトレイに対して持ち上げられた状態となる。
また、ディスクトレイを装置本体から引き出したときにディスクの前部を上向きに上げてディスクを取りやすくできるディスク装置の機構も知られている。このディスク装置は、ディスクの下側に位置するＴ字型の回転部材を回転させることにより、ディスクの一方の端を上方に持ち上げる。
【先行技術文献】
【特許文献】
【０００６】
【特許文献１】再公表  ＷＯ２００７／０６６７３５号公報
【特許文献２】特開２００５−４８３１号公報
【発明の概要】
【発明が解決しようとする課題】
【０００７】
本発明は、上記従来のトレイを傾斜させる機構と異なる機構を用いて、トレイを傾斜させ、ＳＩＭカード等のカード状の電子モジュールを容易に取り出すことができるカードコネクタ、カードコネクタを備えた配線板ユニット、およびカードコネクタを備えた電子機器を提供することを目的とする。
【課題を解決するための手段】
【０００８】
本発明の一態様は、カード状の電子モジュールを電子部品と接続するカードコネクタであって、
配線板と接する底面を有し、カード状の電子モジュールを収納することにより、電子部品と接続した接続端子を介して電子モジュールを電子部品と接続させる筐体と、
電子モジュールを載置した状態で、前記筐体に対して引き出し自在に可動するトレイと、を有する。
前記筐体と対向する前記トレイの面には、前記トレイの引き出し経路を定める誘導用突起と、前記トレイの最大引き出し位置を定めるストッパ用突起と、が設けられている。
前記トレイと対向する前記筐体の面には、前記トレイの引き出し方向に延在し、前記誘導用突起を誘導する引き出し誘導路が設けられている。
前記筐体の底面に直交する高さ方向の位置に関して、前記トレイが引き出されて前記最大引き出し位置に近づくとき、前記誘導用突起の前記高さ方向の位置を前記底面から離れるように変化させる誘導用傾斜路を前記引き出し誘導路は含み、かつ、前記誘導用突起が前記誘導用傾斜路を移動するとき、前記ストッパ用突起の前記高さ方向の位置を一定に保つ前記ストッパ用突起の位置規制誘導路が、前記筐体に設けられている。
【０００９】
本発明の他の一態様は、カード状の電子モジュールと電子部品を接続する前記カードコネクタを配線板に備えた配線板ユニットである。この態様のカードコネクタでは、前記トレイが引き出されて前記最大引き出し位置に近づくとき、前記誘導用傾斜路は、前記誘導用突起の前記高さ方向の位置を前記配線板から離れるように変化させる。
【００１０】
さらに、本発明の他の一態様は、カード状の電子モジュールと電子部品を接続する前記カードコネクタを配線板に備えた電子機器である。この態様のカードコネクタでは、前記トレイが引き出されて前記最大引き出し位置に近づくとき、前記誘導用傾斜路は、前記誘導用突起の前記高さ方向の位置を前記配線板から離れるように変化させる。
【発明の効果】
【００１１】
上述の態様のカードコネクタ、配線板ユニットおよび電子機器によれば、トレイを傾斜させ、ＳＩＭカード等のカード状の電子モジュールを容易に取り出すことができる。
【図面の簡単な説明】
【００１２】
【図１】（ａ）〜（ｅ）は、本実施形態のカードコネクタの動作を説明する図である。
【図２】（ａ）は、本実施形態のカードコネクタの分解斜視図であり、（ｂ）は、（ａ）に示すカードコネクタの要部を示す図である。
【図３】（ａ），（ｂ）は、本実施形態のカードコネクタの構成と動作を説明する図である。
【図４】電子機器に用いられるカードコネクタの一例を示す図である。
【図５】電子機器に用いられるカードコネクタを搭載した配線板の一例を示す図である。
【図６】従来のカードコネクタの分解斜視図である。
【図７】（ａ）〜（ｃ）は、従来のカードコネクタの動作を説明する図である。
【発明を実施するための形態】
【００１３】
以下、本発明のカードコネクタ、配線板ユニットおよび電子機器について説明する。
【００１４】
本実施形態のカードコネクタ１０は、図４に示すように、携帯電話機器に用いられるＳＩＭカードを携帯電話機器内の他の電子部品と接続するカードコネクタであり、図５に示すように配線板に搭載されている。
【００１５】
図１（ａ）〜（ｅ）は、カードコネクタ１０の動作を説明する図である。
配線板１２に搭載されたカードコネクタ１０では、図１（ａ）に示す状態から、図１（ｂ）に示すようにＳＩＭカード１６を載置したトレイ１４が配線板１２に沿って平行に引き出される。トレイ１４が所定量引き出されると、図１（ｃ）に示すように配線板１２に対して、トレイ１４の引き出し口側の前端が上方に傾斜するように引き出される。具体的に、トレイ１４の引き出し口側の前端がトレイ１４の引き出し奥側端に比べて高くなるように傾斜する。トレイ１４が最大引き出し位置にくると、トレイ１４は傾斜して固定される。以降、カードコネクタ１０において、トレイ１４の引き出し口側は前方側、トレイ１４の引き出し奥側は後方側という。
この状態で、ユーザは、図１（ｅ）に示すように、トレイ１４に載置されているＳＩＭカード１６を取り出す。このとき、トレイ１４が傾斜しているため、トレイ１４と配線板１２との間に比較的大きな隙間がある。したがって、トレイ１４の切り欠き部１４ｅ（図２（ａ）参照）の位置にあるＳＩＭカード１６の下面と上面とを指で挟んでＳＩＭカード１６を容易に取り出すことができる。
このように、カードコネクタ１０は、図７（ａ）〜（ｃ）に示す従来のカードコネクタと異なり、トレイ１４の最大引き出し位置において、配線板１２に対して、トレイ１４の引き出し口前端が上方に持ち上がる。
【００１６】
図２（ａ）は、このようなカードコネクタ１０の構成を示す分解斜視図である。図２（ｂ）は、図２（ａ）中のＸ領域を拡大して示す図である。
カードコネクタ１０は、上側筐体１８と、下側筐体２０と、トレイ１４と、を有する。
上側筐体１８と下側筐体２０とにより、トレイ１４を収納する筐体２２がつくられる。
下側筐体２０は、配線板１２と接する底面２１を有する。また、底面２１には、配線板あるいは他の配線板に設けられた電子部品と接続線２４を通して接続された接続端子２２ａが６つ設けられている。ＳＩＭカード１６には、６つの端子が設けられ、ＳＩＭカード１６がトレイ１４に載置されて筐体２２の所定位置に収納されることにより、ＳＩＭカード１６の６つの端子は下側筐体２０の６つの接続端子と接続される。これにより、ＳＩＭカードは電子部品と接続される。
【００１７】
下側筐体２０の内側の両側の面には、トレイ１４に設けられた後述する誘導用突起１４ｂが摺動する面を有する一対の誘導棚２２ｂがトレイ１４の引き出し方向であるＸ方向に延びている。
誘導棚２２ｂの後方側には、水平面２２ｂ1が設けられている。一方、誘導棚２２ｂの前方側には、筐体２２の底面２１に対して直交する方向で、水平面２２ｂ1の延在するＸ方向に直交する高さ方向（Ｚ方向）において、誘導棚２２ｂの面が前方に進むに従って高くなる傾斜面２２ｂ2が設けられている。後述するトレイ１４の誘導用突起１４ｂは、トレイ１４が引き出されるとき、誘導棚２２の水平面２２ｂ1および傾斜面２２ｂ2を通る。すなわち、誘導棚２２ｂは、誘導用突起１４ｂを誘導する引き出し誘導路となっている。
本実施形態では、引き出し誘導路として誘導用突起１４ｂが摺動する誘導棚が用いられるが、筐体２２に形成され、誘導用突起１４ｂと係合するスリット状の溝が引き出し誘導路として用いられてもよい。
【００１８】
下側筐体２０の誘導棚２２ｂの側面には、側面の一部分が切り欠かれた切り欠き部２２ｃ（図２（ｂ）参照）が設けられている。切り欠き部２２ｃが設けられるＸ方向の位置は、傾斜面２２ｂ2のＸ方向の位置より、後方側に位置する。切り欠き部２２ｃにおいて、誘導棚２２ｂの面の一部分が切り欠かれて誘導棚２２ｂの水平面２２ｂ1の幅が細くなっているが、後述する誘導用突起１４ｂの通過を妨げない程度に切り欠かれている。切り欠き部２２ｃの前方側には、底面２１および配線板１２に平行に延びる位置規制誘導溝２２ｄが形成されている。位置規制誘導溝２２ｄは、誘導棚２２ｂのトレイ１４の幅方向（Ｘ方向およびＺ方向に直行する方向）外側の側面に位置する。位置規制誘導溝２２ｄは、トレイ１４を引き出すとき、後述するストッパ用突起１４ｃが進入する溝である。すなわち、位置規制誘導溝２２ｄは一方の端が切り欠き部２２ｃに開口し、他方の端が閉塞する誘導溝であり、水平面２２ｂ1に平行に延びた溝である。位置規制誘導溝２２ｄの溝幅はストッパ用突起１４ｃが進入できる程度にストッパ用突起１４ｃの突起幅に比べてやや広い。しかし、位置規制誘導溝２２ｄの溝幅は、ストッパ用突起１４ｃが位置規制誘導溝２２ｄに進入したとき、位置規制誘導溝２２ｄがストッパ用突起１４ｃの高さ方向（Ｚ方向）の位置を規制する程度の溝幅である。位置規制誘導溝２２ｄの閉塞する端は、後述するストッパ用突起１４ｃがこれ以上進むことができない終端として機能する。このときのトレイ１４の位置がトレイ１４の最大引き出し位置となる。
【００１９】
上側筐体１８は、下側筐体２０の周りを覆う部材である。上側筐体１８の側面には、下側筐体２０の切り欠き部２２ｃの位置に対応して、切り欠き部１８ａが設けられている。切り欠き部１８ａには、切り欠き部１８ａの後方側の端から前方の側に向かって突出した長片が設けられている。この長片は、上側筐体１８の内側に向けて「く」の字形状に曲がった突出部１８ｂが設けられている。突出部１８ｂは、「く」の字形状の屈曲部が後述するストッパ用突起１４ｃを押圧する押さえ部材となっている。
【００２０】
トレイ１４は、上側筐体１８と下側筐体２０でつくられる筐体２２内に、ＳＩＭカード１６を載置して収納する。トレイ１４には、ＳＩＭカード１６を収納したとき、ＳＩＭカード１６が下側筐体２０に設けられた接続端子２２ａと接続されるように、ＳＩＭカード１６の載置面には切り欠き部１４ａが設けられている。また、ＳＩＭカード１６を指で挟んで取り出すことができるように切り欠き部１４ｅがトレイ１４の前方側に設けられている。
筐体２２の内面と対向するトレイ１４の外側両方の側面には、誘導用突起１４ｂとストッパ用突起１４ｃが設けられている。誘導用突起１４ｂは、ストッパ用突起１４ｃとＺ方向（高さ方向）において同じ高さ位置にある。ストッパ用突起１４ｃはトレイ１４の後方側（トレイ１４の収納奥側）のトレイ１４の端近傍に設けられ、誘導用突起１４ｂはストッパ用突起１４ｃに比べてわずかに前方側に設けられている。誘導棚２２ｂ上を移動する
誘導用突起１４ｂは位置規制誘導溝２２ｄの脇を通過するとき、位置規制誘導溝２２ｄの閉塞する端と接触して移動が妨げられない程度にストッパ用突起１４ｃに比べて突出高さが低くなっている。さらに、誘導用突起１４ｂの、トレイ１４の引き出し入り口側の角部は角落としされている。これにより、誘導用突起１４ｂが誘導棚２２ｂ上を摺動するとき、傾斜面２２ｂ2を滑らかに移動することができる。
また、トレイ１４は、トレイ１４の前方側の前面に、作業者が指を用いてトレイ１４を引き出すための爪部１４ｄが設けられている。
【００２１】
図３（ａ），（ｂ）は、トレイ１４が筐体２２から引き出されるときの様子を示す。
図３（ａ）に示すように、誘導用突起１４ｂが水平面２２ｂ1上に位置するとき、トレイ１４の後方側に設けられているストッパ用突起１４ｃも水平面２２ｂ1上に位置するので、トレイ１４は配線板１２の面に対して平行に引き出される。
【００２２】
さらに、トレイ１４が筐体２０から引き出されると、図３（ｂ）に示されるように、誘導用突起１４ｂは、位置規制誘導溝２２ｄの脇を通過して傾斜面２２ｂ2上を移動する。上述したように、誘導用突起１４ｂはストッパ用突起１４ｃに比べて突出高さが低いので、誘導用突起１４ｂは位置規制誘導溝２２ｄによって移動が阻止されること無く通過する。誘導用突起１４ｂが傾斜面２２ｂ2上を移動するとき、トレイ１４の後方側に設けられているストッパ用突起１４ｃは依然として水平面２２ｂ1上を移動する。しかも、ストッパ用突起１４ｃは、位置規制誘導溝２２ｄに進入し、Ｚ方向（高さ方向）の移動が規制されるので、ストッパ用突起１４ｃは高さ方向に持ち上がらない。したがって、誘導用突起１４ｂとストッパ用突起１４ｃとのＺ方向（高さ方向）の位置がずれることにより、トレイ１４の前方側の位置が高くなるように傾斜を開始する。
【００２３】
本実施形態では、誘導用突起１４ｂとストッパ用突起１４ｃは、Ｚ方向（高さ方向）において同じ位置にあるが異なる位置にあってもよい。このとき、誘導用突起１４のみが誘導棚２２ｂ上を移動してもよい。この場合、スットッパ用突起１４ｃのＺ方向（高さ方向）の位置に合わせて位置規制誘導溝２２ｄが設けられるとよい。
【００２４】
さらに、ストッパ用突起１４ｃは位置規制誘導溝２２ｄの終端に当接するまで移動する。ストッパ用突起１４ｃは位置規制誘導溝２２ｄの終端に当接したとき、トレイ１４の引き出しは最大引き出し位置となる。このとき、トレイ１４の後方側端部近傍に設けられているストッパ用突起１４ｃは依然として水平面２２ｂ1上に位置し、ストッパ用突起１４ｃは、高さ方向（Ｚ方向）の移動が規制されている。このため、最大引き出し位置において、トレイ１４は、トレイ１４の前方側の位置が高くなるように傾斜した状態を維持する。
【００２５】
このとき、ストッパ用突起１４ｃは、上側筐体１８の「く」の字形状を成した押さえ部材として機能する突出部１８ｂの押さえを通過して、突出部１８ｂと位置規制誘導溝２２ｄの終端との間に位置する。ストッパ用突起１４ｃが位置規制誘導溝２２ｄの終端と当接するとき、同時に、ストッパ用突起１４ｃは、押さえ部材として機能する突出部１８ｂの押さえにより、Ｘ方向の前方側に付勢される。したがって、ストッパ用突起１４ｃは、突出部１８ｂと位置規制誘導溝２２ｄの終端との間に係止される。このため、トレイ１４は最大引き出し位置において配線板１２に対して傾斜した状態で固定される。
【００２６】
以上のように、トレイ１４が引き出されて最大引き出し位置に近づくとき、誘導用突起１４ｂは傾斜面２２ｂ2を移動する。このとき、ストッパ用突起１４ｃは位置規制誘導溝２２ｄに位置するので、ストッパ用突起１４ｃの高さ方向の位置は一定に保たれる。したがって、図１に示すようにトレイ１４の前方側が持ち上がってトレイ１４は傾斜する。
【００２７】
本実施形態では、ＳＩＭカードの収納を説明したが、カード状の電子モジュールは、ＳＩＭカード以外の電子モジュールであってもよい。電子モジュールは、例えば、スマートメディア等のメモリーカードを含む。
【００２８】
上記実施形態は、以下に示す内容を開示する。
（付記１）
カード状の電子モジュールを電子部品と接続するカードコネクタであって、
配線板と接する底面を有し、カード状の電子モジュールを収納することにより、電子部品と接続した接続端子を介して電子モジュールを電子部品と接続させる筐体と、
電子モジュールを載置した状態で、前記筐体に対して引き出し自在に可動するトレイと、を有し、
前記筐体と対向する前記トレイの面には、前記トレイの引き出し経路を定める誘導用突起と、前記トレイの最大引き出し位置を定めるストッパ用突起と、が設けられ、
前記トレイと対向する前記筐体の面には、前記トレイの引き出し方向に延在し、前記誘導用突起を誘導する引き出し誘導路が設けられ、
前記筐体の底面に直交する高さ方向の位置に関して、前記トレイが引き出されて前記最大引き出し位置に近づくとき、前記誘導用突起の前記高さ方向の位置を前記底面から離れるように変化させる誘導用傾斜路を前記引き出し誘導路は含み、かつ、前記誘導用突起が前記誘導用傾斜路を移動するとき、前記ストッパ用突起の前記高さ方向の位置を一定に保つ前記ストッパ用突起の位置規制誘導路が、前記筐体に設けられている、ことを特徴とするカードコネクタ。
【００２９】
（付記２）
前記筐体に設けられる前記位置規制誘導路は、前記引き出し誘導路の前記延在方向に延び、前記ストッパ用突起の前記高さ方向の位置を規制するように前記高さ方向の幅を有する、一端が開口し他端が閉塞した溝であり、前記誘導用突起が前記誘導用傾斜路を通過するとき、前記ストッパ用突起は前記溝を通過する、付記１に記載のカードコネクタ。
【００３０】
（付記３）
前記引き出し誘導路は、前記誘導用突起が摺動する面を有する誘導棚であり、
前記誘導用突起と前記ストッパ用突起は、前記高さ方向の同じ位置に設けられ、
前記ストッパ用突起は、前記誘導用突起に比べて前記トレイの収納奥側に設けられ、
前記誘導用突起の突出高さは、前記誘導用突起が前記溝の閉塞端によって移動が妨げられない程度に前記ストッパ用突起の突出高さに比べて低い、付記２に記載のカードコネクタ。
【００３１】
（付記４）
前記位置規制誘導路は、前記ストッパ用突起の移動を規制する終端を有し、
前記位置規制誘導路には、前記トレイが前記最大引き出し位置にあるとき前記ストッパ用突起を押圧する押さえ部材が設けられ、前記トレイの前記最大引き出し位置において、前記ストッパ用突起は、前記位置規制誘導路の終端と前記押さえ部材の押圧とによって位置が固定される、付記１〜３のいずれか１項に記載のカードコネクタ。
【００３２】
（付記５）
前記押さえ部材は、前記引き出し誘導路に向かって「く」の字形状に突出した平板ばねであり、前記平板ばねの前記「く」の字形状の突出部は、前記ストッパ用突起が前記突出部を通過するとき前記ストッパ用突起と接触することにより前記ストッパ用突起を押圧する、付記４に記載のカードコネクタ。
【００３３】
（付記６）
カード状の電子モジュールと電子部品を接続するカードコネクタを配線板に備えた配線板ユニットであって、
前記カードコネクタは、
配線板と接する底面を有し、カード状の電子モジュールを収納することにより、電子部品と接続した接続端子を介して電子モジュールを電子部品と接続させる筐体と、  
電子モジュールを載置した状態で、前記筐体に対して引き出し自在に可動するトレイと、を有し、
前記筐体の内面と対向する前記トレイの外面には、前記トレイの引き出し経路を定める誘導用突起と、前記トレイの最大引き出し位置を定めるストッパ用突起と、が設けられ、
前記筐体の前記トレイと対向する内面には、前記トレイの引き出し方向に延在し、前記誘導用突起を誘導する引き出し誘導路が設けられ、
前記筐体の底面に直交する高さ方向の位置に関して、前記トレイが引き出されて前記最大引き出し位置に近づくとき、前記誘導用突起の前記高さ方向の位置を前記配線板から離れるように変化させる誘導用傾斜路を前記引き出し誘導路は含み、かつ、前記誘導用突起が前記誘導用傾斜路を移動するとき、前記ストッパ用突起の前記高さ方向の位置を一定に保つ前記ストッパ用突起の位置規制誘導路が、前記筐体に設けられている、ことを特徴とする配線板ユニット。
【００３４】
（付記７）
前記筐体に設けられる前記位置規制誘導路は、前記引き出し誘導路の前記延在方向に延び、前記ストッパ用突起の前記高さ方向の位置を規制するように前記高さ方向の幅を有する、一端が開口し他端が閉塞した溝であり、前記誘導用突起が前記誘導用傾斜路を通過するとき、前記ストッパ用突起は前記溝を通過する、付記６に記載の配線板ユニット。
【００３５】
（付記８）
前記引き出し誘導路は、前記誘導用突起が摺動する面を有する誘導棚であり、
前記誘導用突起と前記ストッパ用突起は、前記高さ方向の同じ位置に設けられ、
前記ストッパ用突起は、前記誘導用突起に比べて前記トレイの収納奥側に設けられ、
前記誘導用突起の突出高さは、前記誘導用突起が前記溝の閉塞端によって移動が妨げられない程度に前記ストッパ用突起の突出高さに比べて低い、付記７に記載の配線板ユニット。
【００３６】
（付記９）
前記位置規制誘導路は、前記ストッパ用突起の移動を規制する終端を有し、
前記位置規制誘導路には、前記トレイが前記最大引き出し位置にあるとき前記ストッパ用突起を押圧する押さえ部材が設けられ、前記トレイの前記最大引き出し位置において、前記ストッパ用突起は、前記位置規制誘導路の終端と前記押さえ部材の押圧とによって位置が固定される、付記６〜８のいずれか１項に記載の配線板ユニット。
【００３７】
（付記１０）
前記押さえ部材は、前記引き出し誘導路に向かって「く」の字形状に突出した平板ばねであり、前記平板ばねの前記「く」の字形状の突出部は、前記ストッパ用突起が前記突出部を通過するとき前記ストッパ用突起と接触することにより前記ストッパ用突起を押圧する、付記９に記載の配線板ユニット。
【００３８】
（付記１１）
カード状の電子モジュールと電子部品を接続するカードコネクタを配線板に備えた電子機器であって、
前記カードコネクタは、
配線板と接する底面を有し、カード状の電子モジュールを収納することにより、電子部品と接続した接続端子を介して電子モジュールを電子部品と接続させる筐体と、
電子モジュールを載置した状態で、前記筐体に対して引き出し自在に可動するトレイと、を有し、
前記筐体の内面と対向する前記トレイの外面には、前記トレイの引き出し経路を定める誘導用突起と、前記トレイの最大引き出し位置を定めるストッパ用突起と、が設けられ、
前記筐体の前記トレイと対向する内面には、前記トレイの引き出し方向に延在し、前記誘導用突起を誘導する引き出し誘導路が設けられ、
前記筐体の底面に直交する高さ方向の位置に関して、前記トレイが引き出されて前記最大引き出し位置に近づくとき、前記誘導用突起の前記高さ方向の位置を変化させる誘導用傾斜路を前記引き出し誘導路は含み、かつ、前記誘導用突起が前記誘導用傾斜路を移動するとき、前記ストッパ用突起の前記高さ方向の位置を一定に保つ前記ストッパ用突起の位置規制誘導路が、前記筐体に設けられている、ことを特徴とする電子機器。
【００３９】
以上、本発明のカードコネクタ、配線板ユニットおよび電子機器について詳細に説明したが、本発明は上記実施形態に限定されず、本発明の主旨を逸脱しない範囲において、種々の改良や変更をしてもよいのはもちろんである。
【符号の説明】
【００４０】
１０，１００  カードコネクタ
１２，１０６  配線板
１４，１０４  トレイ
１４ａ,１４ｅ，１８ａ，２２ｃ、１１０  切り欠き部
１４ｂ  誘導用突起
１４ｃ  ストッパ用突起
１４ｄ  爪部
１６，１０３  ＳＩＭカード
１８  上側筐体
１８ｂ  突出部
２０  下側筐体
２１  底面
２２．１０２  筐体
２２ａ  接続端子
２２ｂ  誘導棚
２２ｂ1  水平面
２２ｂ2  傾斜面
２２ｄ  位置規制溝
２４  接続線
１０８  トレイ爪部
【図１】
2012069475.tif 000003
【図２】
2012069475.tif 000004
【図３】
2012069475.tif 000005
【図４】
2012069475.tif 000006
【図５】
2012069475.tif 000007
【図６】
2012069475.tif 000008
【図７】
2012069475.tif 000009